(57)【要約】【課題】場所を移動する煩雑さを軽減すると共に、実戦的なゴルフ環境を保ちながら通常ショットとバンカーショットとを練習できるゴルフ打席装置を提供する。【解決手段】ゴルフ打席装置１００は、バンカー部１０と、打席部２０とを１つの区画として備える。バンカー部１０は、バンカーショットのための砂１１を有する。打席部２０は、バンカーショットと異なるショットのための打席部である。バンカー部１０は、砂１１の上に立ってバンカーショットを行うための打席である。【選択図】図１
2018183508.tif 000002
【特許請求の範囲】
【請求項１】
バンカーショットのための砂を有するバンカー部と、
前記バンカーショットと異なるショットのための打席部と
を１つの区画として備え、
前記バンカー部は、前記砂の上に立って前記バンカーショットを行うための打席である、ゴルフ打席装置。
【請求項２】
前記バンカーショットによる前記バンカー部から前記打席部への前記砂の飛び散りを抑制する砂飛散抑制部を更に備える、請求項１に記載のゴルフ打席装置。
【請求項３】
前記バンカー部と前記打席部とを並べて載置する床部を更に備え、
前記砂飛散抑制部は、衝撃を吸収する第１緩衝部材と第２緩衝部材とを含み、
前記第１緩衝部材は、前記床部と前記バンカー部との間に配置され、
前記第２緩衝部材は、前記床部と前記打席部との間に配置され、
前記第１緩衝部材の厚みは、前記第２緩衝部材の厚みよりも薄く、
前記バンカー部の上端の高さは、前記打席部の上端の高さよりも低い、請求項２に記載のゴルフ打席装置。
【請求項４】
前記バンカー部と前記打席部とを前記１つの区画として囲む側壁部と、
前記バンカー部と前記打席部との上方に配置される天壁部と
を更に備え、
前記第１緩衝部材及び前記第２緩衝部材は、矩形板状のマット部材であり、
前記バンカー部は、前記砂を堆積する砂槽と、堆積された前記砂の上面を示す砂面とを含み、
前記砂槽は、前記第１緩衝部材の上面に配置され、
前記打席部は、ゴルフボールを載置するためのボールマットと、前記ボールマットに隣接して立つためのスタンスマットとを含み、
前記ボールマット及び前記スタンスマットは、前記第２緩衝部材の上面に配置され、
前記砂面の高さは、前記第２緩衝部材の上面の高さよりも低い、請求項３に記載のゴルフ打席装置。
【請求項５】
前記第２緩衝部材を傾斜させる膨張部材を更に備え、
前記膨張部材は、前記床部と前記第２緩衝部材との間に配置され、空気を供給されることによって膨張し、前記空気を抜くことによって収縮する、請求項３又は請求項４に記載のゴルフ打席装置。
【請求項６】
前記砂飛散抑制部は、前記バンカー部と前記打席部との間に立設する板状の障壁部材を更に含み、
前記障壁部材は、前記バンカー部の上端よりも高く突出する、請求項２から請求項５のいずれか１項に記載のゴルフ打席装置。
【請求項７】
前記バンカーショットと異なるショットのための拡張打席部を更に備え、
前記バンカー部は、前記砂の堆積によって形成される前記砂の上面を示す砂面を有し、
前記砂面は、凹凸形状に形成され、
前記拡張打席部は、前記打席部の下方に配置される格納部と、芝状面を形成する芝状部材とを含み、
前記格納部は、前記砂面に向けて開口する凹形状であり、
前記芝状部材は、前記格納部に格納可能であり、前記格納部から引き出されることによって前記芝状面を上面として前記砂面を前記凹凸形状に沿うように覆う、請求項１から請求項６のいずれか１項に記載のゴルフ打席装置。
【請求項８】
前記バンカーショットと異なるショットのための拡張打席部と、
前記バンカーショットと異なるショットによる打球を収集する球収集部と
を更に備え、
前記球収集部は、前記バンカー部を介して前記打席部に対向する矩形状の斜面部材と、連絡部材とを含み、
前記斜面部材は、前記斜面部材の下端に沿って形成される溝を有し、
前記連絡部材は、前記溝と前記バンカー部とを連絡し、
前記バンカー部は、前記砂の堆積によって形成される前記砂の上面を示す砂面を有し、
前記砂面は、凹凸形状に形成され、
前記拡張打席部は、芝状部材と、前記芝状部材の基端を前記斜面部材に回動自在に取り付ける基端部材とを含み、
前記芝状部材は、表面を構成する芝部材と、裏面を構成する衝撃吸収部材とを有し、
前記基端部材は、前記溝よりも低い位置で前記斜面部材の前記下端に沿って前記斜面部材に取り付けられ、
前記芝状部材は、前記バンカー部に向けて回動することによって、前記芝部材を上面として前記砂面を前記凹凸形状に沿うように覆い、
前記芝状部材は、前記斜面部材に向けて回動することによって、前記衝撃吸収部材を上面として前記斜面部材を覆う、請求項１から請求項６のいずれか１項に記載のゴルフ打席装置。
【発明の詳細な説明】
【技術分野】
【０００１】
本発明は、ゴルフ打席装置に関する。
【背景技術】
【０００２】
ゴルフボールを打つための打席装置が知られている。このような打席装置として、特許文献１に記載の打席装置（ゴルフ練習場用打席）は、ゴルフボール載置部と、練習者が立つための打席部とを備える。特許文献１に記載のゴルフボール載置部は、打席部に隣接しており、ゴルフボールを載置するための芝シートを有する。特許文献１に記載の打席装置によれば、練習者は、芝の上に置いたゴルフボールを打つことができる。
【０００３】
また、特許文献２に記載の打席装置は、ショット部と、練習者が立つためのスタンス部とを備える。特許文献２に記載のショット部は、スタンス部に隣接しており、ゴルフボールを載置するための砂槽を有する。特許文献２に記載の打席装置によれば、練習者は、スタンス部に立って砂上のゴルフボールを打つことができる。
【先行技術文献】
【特許文献】
【０００４】
【特許文献１】特開平５−１６１７３１号公報
【特許文献２】特開平１１−１３７７５７号公報
【発明の概要】
【発明が解決しようとする課題】
【０００５】
しかしながら、特許文献１又は特許文献２に記載の打席装置では、練習者は、芝上のショット（通常ショット）又は砂上のショット（バンカーショット）のいずれか一方しか練習できない。限られた時間内に双方のショットを練習するためには、それぞれの練習場所に練習者をその都度移動させる必要がある。さらに、特許文献２に記載の打席装置では、実戦とは異なり、スタンス部に足を立たせたバンカーショットしか練習できない。従って、実際のゴルフコース状態に近い実戦的なゴルフ環境を保ちつつ、場所の移動を要することなく通常ショットとバンカーショットとを練習することは困難であった。
【０００６】
本発明は上記課題に鑑みてなされたものであり、場所を移動する煩雑さを軽減すると共に、実戦的なゴルフ環境を保ちながら通常ショットとバンカーショットとを練習できるゴルフ打席装置を提供することを目的とする。
【課題を解決するための手段】
【０００７】
本発明に係るゴルフ打席装置は、バンカー部と、打席部とを１つの区画として備える。前記バンカー部は、バンカーショットのための砂を有する。前記打席部は、前記バンカーショットと異なるショットのための打席部である。前記バンカー部は、前記砂の上に立って前記バンカーショットを行うための打席である。
【０００８】
ある実施形態において、ゴルフ打席装置は、砂飛散抑制部を更に備える。前記砂飛散抑制部は、前記バンカーショットによる前記バンカー部から前記打席部への前記砂の飛び散りを抑制する。
【０００９】
ある実施形態において、ゴルフ打席装置は、床部を更に備える。前記床部は、前記バンカー部と前記打席部とを並べて載置する。前記砂飛散抑制部は、衝撃を吸収する第１緩衝部材と第２緩衝部材とを含む。前記第１緩衝部材は、前記床部と前記バンカー部との間に配置される。前記第２緩衝部材は、前記床部と前記打席部との間に配置される。前記第１緩衝部材の厚みは、前記第２緩衝部材の厚みよりも薄い。前記バンカー部の上端の高さは、前記打席部の上端の高さよりも低い。
【００１０】
ある実施形態において、ゴルフ打席装置は、側壁部と、天壁部とを更に備える。前記側壁部は、前記バンカー部と前記打席部とを前記１つの区画として囲む。前記天壁部は、前記バンカー部と前記打席部との上方に配置される。前記第１緩衝部材及び前記第２緩衝部材は、矩形板状のマット部材である。前記バンカー部は、前記砂を堆積する砂槽と、堆積された前記砂の上面を示す砂面とを含む。前記砂槽は、前記第１緩衝部材の上面に配置される。前記打席部は、ゴルフボールを載置するためのボールマットと、前記ボールマットに隣接して立つためのスタンスマットとを含む。前記ボールマット及び前記スタンスマットは、前記第２緩衝部材の上面に配置される。前記砂面の高さは、前記第２緩衝部材の上面の高さよりも低い。
【００１１】
ある実施形態において、ゴルフ打席装置は、膨張部材を更に備える。前記膨張部材は、前記第２緩衝部材を傾斜させる。前記膨張部材は、前記床部と前記第２緩衝部材との間に配置され、空気を供給されることによって膨張し、前記空気を排出することによって収縮する。
【００１２】
ある実施形態において、前記砂飛散抑制部は、前記バンカー部と前記打席部との間に立設する板状の障壁部材を更に含む。前記障壁部材は、前記バンカー部の上端よりも高く突出する。
【００１３】
ある実施形態において、ゴルフ打席装置は、拡張打席部を更に備える。前記拡張打席部は、前記バンカーショットと異なるショットのための打席部である。前記バンカー部は、前記砂の堆積によって形成される前記砂の上面を示す砂面を有する。前記砂面は、凹凸形状に形成される。前記拡張打席部は、前記打席部の下方に配置される格納部と、芝状面を形成する芝状部材とを含む。前記格納部は、前記砂面に向けて開口する凹形状である。前記芝状部材は、前記格納部に格納可能であり、前記格納部から引き出されることによって前記芝状面を上面として前記砂面を前記凹凸形状に沿うように覆う。
【００１４】
ある実施形態において、ゴルフ打席装置は、拡張打席部と、球収集部とを更に備える。前記拡張打席部は、前記バンカーショットと異なるショットのための打席部である。前記球収集部は、前記バンカーショットと異なるショットによる打球を収集する。前記球収集部は、前記バンカー部を介して前記打席部に対向する矩形状の斜面部材と、連絡部材とを含む。前記斜面部材は、前記斜面部材の下端に沿って形成される溝を有する。前記連絡部材は、前記溝と前記バンカー部とを連絡する。前記バンカー部は、前記砂の堆積によって形成される前記砂の上面を示す砂面を有する。前記砂面は、凹凸形状に形成される。前記拡張打席部は、芝状部材と、前記芝状部材の基端を前記斜面部材に回動自在に取り付ける基端部材とを含む。前記芝状部材は、表面を構成する芝部材と、裏面を構成する衝撃吸収部材とを有する。前記基端部材は、前記溝よりも低い位置で前記斜面部材の前記下端に沿って前記斜面部材に取り付けられる。前記芝状部材は、前記バンカー部に向けて回動することによって、前記芝部材を上面として前記砂面を前記凹凸形状に沿うように覆う。前記芝状部材は、前記斜面部材に向けて回動することによって、前記衝撃吸収部材を上面として前記斜面部材を覆う。
【発明の効果】
【００１５】
本発明のゴルフ打席装置によれば、場所を移動する煩雑さを軽減すると共に、快適な練習環境を保ちながら通常ショットとバンカーショットとを練習できるゴルフ打席装置を提供することができる。
【図面の簡単な説明】
【００１６】
【図１】（ａ）は、本発明の実施形態に係るゴルフ打席装置を示す平面図であり、（ｂ）は、本発明の実施形態に係るゴルフ打席装置を示す側面図である。
【図２】（ａ）は、本発明の実施形態に係るゴルフ打席装置を示す側面図であり、（ｂ）は、本発明の実施形態に係るゴルフ打席装置の第１緩衝部材を示す平面図であり、（ｃ）は、本発明の実施形態に係るゴルフ打席装置の第２緩衝部材を示す平面図である。
【図３】（ａ）は、本発明の実施形態に係るゴルフ打席装置を示す一部拡大側面図であり、（ｂ）は、本発明の実施形態に係るゴルフ打席装置の障壁部材を示す平面図であり、（ｃ）は、本発明の実施形態に係るゴルフ打席装置を示す一部拡大側面図である。
【図４】（ａ）及び（ｂ）は、本発明の実施形態に係るゴルフ打席装置を示す一部拡大側面図である。
【図５】（ａ）は、本発明の実施形態に係るゴルフ打席装置を示す一部拡大側面図であり、（ｂ）は、本発明の実施形態に係るゴルフ打席装置を示す一部拡大平面図であり、（ｃ）は、本発明の実施形態に係るゴルフ打席装置を示す一部拡大側面図である。
【図６】（ａ）は、本発明の実施形態に係るゴルフ打席装置を示す一部拡大側面図であり、（ｂ）は、本発明の実施形態に係るゴルフ打席装置の傾斜形成部を示す平面図であり、（ｃ）は、本発明の実施形態に係るゴルフ打席装置を示す一部拡大側面図である。
【発明を実施するための形態】
【００１７】
以下、本発明の実施形態について、図面を参照しながら説明する。なお、図中、同一又は相当部分については同一の参照符号を付して説明を繰り返さない。
【００１８】
（実施形態１）
図１を参照して、本発明の実施形態１に係るゴルフ打席装置１００の構成の概要を説明する。図１（ａ）は、ゴルフ打席装置１００を示す平面図である。図１（ｂ）は、ゴルフ打席装置１００を示す側面図である。
【００１９】
図１（ａ）に示すように、ゴルフ打席装置１００は、バンカー部１０と、打席部２０と、砂飛散抑制部３０と、側壁部４０と、床部５０と、砂回収部６０と、防球ネット７０とを１つの区画として備える。ゴルフ打席装置１００は、例えば、室内、屋内、及び屋外のゴルフ練習場に設置される練習スペースのうちの１つの区画を示す。１つの区画は、平面視において、例えば、縦３００ｃｍ、横６００ｃｍの矩形状である。以下、本明細書では、室内のゴルフ練習場のうちの一区画の練習スペースである実施形態について説明する。
【００２０】
バンカー部１０は、ゴルフのバンカーショットのためのスペースであり、バンカーショットのための砂１１を有する。バンカー部１０は、平面視において、例えば、縦３００ｃｍ、横２１０ｃｍの矩形状である。バンカーショットは、バンカー内でのショットを示す。ユーザーＰ（例えば、ゴルフの練習者）は、ゴルフクラブＣとして、例えば、アイアン（例えば、サンドウェッジ及びピッチングウェッジ）を使用してゴルフボールＢを打つ。砂１１は、例えば、一般的なゴルフ場のバンカー内に充填されている砂である。砂１１は、バンカーショットを行うことができる深さを有するように床部５０の上に堆積する。堆積した砂１１の深さは、例えば、２０ｃｍである。
【００２１】
打席部２０は、バンカーショットと異なるショットのためのスペースである。打席部２０は、平面視において、例えば、縦２００ｃｍ、横２００ｃｍの矩形状である。バンカーショットと異なるショットは、例えば、ティーショット、フェアウェイを想定したショット、ラフを想定したショット、及びグリーンを想定したショットを示す。以下、バンカーショットと異なるショットを「通常ショット」と記載する。打席部２０は、ボールマット２１とスタンスマット２２とを含む。ボールマット２１は、ゴルフボールＢを載置するための芝状面を有する。芝状面は、例えば、人工芝で形成される。スタンスマット２２は、ボールマット２１に隣接しており、ユーザーＰが立つための打席を示す。ユーザーＰは、ゴルフクラブＣとして、例えば、ウッド、ユーティリティー、アイアン、及びパターを使用してゴルフボールＢを打つ。
【００２２】
砂飛散抑制部３０は、バンカーショットによるバンカー部１０から打席部２０への砂１１の飛び散りを抑制する。砂飛散抑制部３０は、後述する床部５０の厚みを利用して、バンカー部１０と打席部２０との境界に高低差Ｈ１を形成する。高低差Ｈ１は、例えば、１５ｃｍである。
【００２３】
側壁部４０は、ゴルフ打席装置１００と、ゴルフ打席装置１００の外側のスペースとをゴルフボールＢの貫通不可能に仕切る。側壁部４０は、例えば、樹脂製のネットである。側壁部４０は、例えば、砂１１の飛び散りを抑制するための透明なビニール製シート（図示せず）を更に含んでいてもよい。
【００２４】
床部５０は、バンカー部１０と、打席部２０とを下方から支持する。床部５０は、例えば、厚みを有するコンクリート製の床である。
【００２５】
砂回収部６０は、バンカーショットによって飛び散る砂１１を回収する。砂回収部６０は、矩形状の平板部材で形成される斜面６１を有する。斜面６１の表面は、砂１１を滑り落ちやすくするような摩擦の小さい面である。平板部材は、例えば、ベニヤ板及び樹脂製板である。斜面６１は、バンカー部１０を介して打席部２０に対向する。水平方向に対する斜面６１の傾斜角度は、例えば、４０度である。斜面６１の下端から上端までの高さは、例えば、１６０ｃｍである。バンカーショットによって飛び散る砂１１が斜面６１に当たると、砂１１は、斜面６１を滑り落ちて下方のバンカー部１０に戻る。
【００２６】
防球ネット７０は、例えば、バンカー部１０と砂回収部６０との間に設置される。通常ショットとバンカーショットとによる打球としてのゴルフボールＢは、防球ネット７０に当たると制止され、下に落ちる。以下、「打球としてのゴルフボールＢ」を単に「打球」と記載することがある。防球ネット７０は、例えば、樹脂製のネットである。バンカーショットによって飛び散る砂１１は、防球ネット７０を貫通可能であるが、打球は、防球ネット７０を貫通不可能である。
【００２７】
以上、図１を参照して説明したように、本実施形態によれば、ゴルフ打席装置１００は、バンカーショットのためのバンカー部１０と、通常ショットのための打席部２０とを１つの区画として備える。バンカー部１０は、砂１１の上に立ってバンカーショットを行うための打席である。ユーザーＰは、砂１１の上に立つことによって、より実戦的にゴルフボールＢを打つことができる。ユーザーＰは、例えば、砂１１に接地した左足寄りにゴルフボールＢを置き、オープンスタンスにゴルフクラブＣを構え、砂地を体感しながらバンカーショットを練習する。従って、本実施形態によれば、実際のゴルフコース状態に近い実戦的なゴルフ環境を一つの区画内で実現できる。その結果、場所を移動する煩雑さを軽減すると共に、限られたスペースで通常ショットとバンカーショットとを練習できる。
【００２８】
さらに、ゴルフ打席装置１００は、砂飛散抑制部３０を１つの区画内に更に備える。砂飛散抑制部３０は、バンカー部１０から打席部２０への砂１１の飛び散りを抑制する。従って、ユーザーＰは、バンカーショット及び通常ショットの双方を一つの区画内で快適に行うことができる。その結果、場所を移動する煩雑さを軽減すると共に、快適な練習環境を保ちながら通常ショットと実戦的なバンカーショットとを練習できる。
【００２９】
次に、図２を参照して、本発明の実施形態１に係るゴルフ打席装置１００の構成の詳細を説明する。図２（ａ）は、ゴルフ打席装置１００を示す側面図である。図２（ｂ）は、ゴルフ打席装置１００の第１緩衝部材３１を示す平面図である。図２（ｃ）は、ゴルフ打席装置１００の第２緩衝部材３２を示す平面図である。
【００３０】
図２（ａ）に示すゴルフ打席装置１００は、例えば、ビルの２階の部屋に設けられる。ゴルフ打席装置１００は、天壁部８０を更に備える。天壁部８０は、バンカー部１０と打席部２０との上方に配置される。天壁部８０は、天井壁８１と防球ネット８２とを含む。天井壁８１は、部屋の天井を構成する。防球ネット８２は、天井壁８１を覆っている。打席部２０から防球ネット８２までの高さは、例えば、３ｍである。
【００３１】
側壁部４０は、バンカー部１０と打席部２０とを１つの区画として囲む。側壁部４０は、例えば、ビルの部屋と部屋との間の壁を構成する。側壁部４０は、出入口４１と防球ネット４２とを含む。防球ネット４２は、通行可能に出入口４１を覆っている。
【００３２】
床部５０は、バンカー部１０と打席部２０とを並べて載置する。床部５０は、例えば、部屋の床である。
【００３３】
砂飛散抑制部３０は、第１緩衝部材３１と第２緩衝部材３２とを含む。第１緩衝部材３１及び第２緩衝部材３２は、衝撃を吸収する部材であり、例えば、ウレタン樹脂製である。第１緩衝部材３１（図２（ｂ））及び第２緩衝部材３２（図２（ｃ））は、矩形板状のマット部材であることが好ましい。第１緩衝部材３１は、床部５０とバンカー部１０との間に配置される。第２緩衝部材３２は、床部５０と打席部２０との間に配置される。第１緩衝部材３１の厚みＨ２（例えば、３ｃｍ）は、第２緩衝部材３２の厚みＨ３（例えば、２０ｃｍ）よりも薄い。バンカー部１０の上端の高さＨ４（例えば、２３ｃｍ）は、打席部２０の上端の高さＨ５（例えば、３０ｃｍ）よりも低い。
【００３４】
ボールマット２１及びスタンスマット２２は、第２緩衝部材３２の上面３２Ａに配置される。
【００３５】
バンカー部１０は、砂槽１２と砂面１３とを含む。砂槽１２は、砂１１を堆積する。砂面１３は、堆積された砂１１の上面を示す。砂槽１２は、第１緩衝部材３１の上面３１Ａに配置される。砂面１３の高さは、第２緩衝部材３２の上面３２Ａの高さよりも低い。
【００３６】
以上、図２を参照して説明したように、本実施形態によれば、床部５０は、バンカー部１０と打席部２０とを並べて載置する。第１緩衝部材３１の厚みＨ２は、第２緩衝部材３２の厚みＨ３よりも薄い。バンカー部１０の上端の高さＨ４は、打席部２０の上端の高さＨ５よりも低い。従って、バンカー部１０から打席部２０への砂１１の飛び散りを簡易な構成で抑制できる。さらに、第１緩衝部材３１は、ゴルフクラブＣと砂１１との衝撃を吸収する。第２緩衝部材３２は、ゴルフクラブＣとボールマット２１との衝撃を吸収する。従って、ビルの一室のように自室の階下に部屋が隣接する環境であっても、ショットの衝撃による振動で生じる打撃音を低減することができる。その結果、砂１１の飛び散りを抑制しつつ、実戦的かつ多様なゴルフ環境をインドアの一つの区画内で簡易に実現できる。
【００３７】
次に、図３を参照して、本発明の実施形態１に係るゴルフ打席装置１００の砂飛散抑制部３０の変形例を説明する。図３（ａ）は、ゴルフ打席装置１００を示す一部拡大側面図である。図３（ｂ）は、障壁部材３３を示す平面図である。図３（ｃ）は、ゴルフ打席装置１００を示す一部拡大側面図である。
【００３８】
砂飛散抑制部３０は、板状の障壁部材３３を更に含む。障壁部材３３は、バンカー部１０と打席部２０との間に立設する。障壁部材３３は、バンカー部１０の上端（例えば、砂槽１２の先端）よりも高く突出する。図３（ｃ）に示すように、通常ショットの弾道に入らないように、障壁部材３３の先端部分をバンカー部１０側に折り曲げて突出させてもよい。
【００３９】
以上、図３を参照して説明したように、本実施形態によれば、ゴルフ打席装置１００は、障壁部材３３を更に含む。従って、砂１１の飛び散りを抑制する精度を簡易な構成で向上させることができる。
【００４０】
（実施形態２）
次に、図４を参照して、本発明の実施形態２に係るゴルフ打席装置１００の構成を説明する。図４（ａ）及び（ｂ）は、ゴルフ打席装置１００を示す一部拡大側面図である。実施形態２のゴルフ打席装置１００は、図１〜図３を参照して説明した実施形態１の構成に加えて、拡張打席部９０を更に備える。なお、図の記載が煩雑になることを避けるため、実施形態１と同様の構成については図の記載を省略することがある。
【００４１】
図４（ａ）に示すように、ゴルフ打席装置１００は、通常ショットのための拡張打席部９０を更に備える。
【００４２】
砂面１３は、凹凸形状に形成される。凹凸形状を形成する代わりに、円柱形状の複数のクッション部材を砂面１３に並べてもよい。
【００４３】
拡張打席部９０は、格納部９１と芝状部材９２とを含む。格納部９１は、砂面１３に向けて凹形状に開口し、打席部２０の下方に配置される。格納部９１の開口の下端から上端までの高さは、例えば、２０ｃｍである。芝状部材９２は、表面を構成する芝部材９２Ａ（芝状面）と、裏面を構成する衝撃吸収部材９２Ｂと、把持部材９２Ｃと、基端部材９２Ｄとを有する。芝部材９２Ａは、例えば、シート状の人工芝であり、芝状面を形成する。芝部材９２Ａの厚みは、例えば、１ｃｍである。衝撃吸収部材９２Ｂは、例えば、ウレタンシートである。衝撃吸収部材９２Ｂの厚みは、例えば、１ｃｍである。把持部材９２Ｃは、芝状部材９２の末端に設けられる。基端部材９２Ｄは、芝状部材９２の基端に設けられ、格納部９１の内側に固定される。芝状部材９２は、格納部９１に蛇腹状に格納可能であるが、蛇腹状に格納されていなくてもよい。芝状部材９２は、格納部９１内に、例えば、広げられたシート状のままスライドするように格納されていてもよい。
【００４４】
図４（ｂ）に示すように、芝状部材９２は、格納部９１から引き出されることによって芝状面を上面として砂面１３を凹凸形状に沿うように覆う。格納部９１から引き出された芝状部材９２は、把持部材９２Ｃを砂回収部６０の斜面６１に掛止してもよい。
【００４５】
以上、図４を参照して説明したように、本実施形態によれば、ゴルフ打席装置１００は、拡張打席部９０を更に備える。拡張打席部９０は、砂面１３の凹凸形状を覆うため、通常ショットのうち起伏のあるフェアウェイ及びラフを想定したショットのための打席として使用される。衝撃吸収部材９２Ｂは、ショットの際にゴルフクラブＣと芝部材９２Ａとが当たることによって生じうる振動、音、及び、ユーザーＰの手首への衝撃を低減させる。従って、一つの区画内で更なる実戦的なゴルフ環境を簡易な構成で提供できる。
【００４６】
（実施形態３）
次に、図５を参照して、本発明の実施形態３に係るゴルフ打席装置１００の構成を説明する。図５（ａ）は、ゴルフ打席装置１００を示す一部拡大側面図である。図５（ｂ）は、ゴルフ打席装置１００を示す一部拡大平面図である。図５（ｃ）は、ゴルフ打席装置１００を示す一部拡大側面図である。実施形態３のゴルフ打席装置１００の構成は、図４を参照して説明した実施形態２のゴルフ打席装置１００について、砂回収部６０に替えて球収集部１６０を備えると共に、拡張打席部９０は格納部９１を含まなくてもよく、基端部材９２Ｄに替えて基端部材９２Ｅを含む点で異なる。なお、図の記載が煩雑になることを避けるため、実施形態４と同様の構成については図の記載を省略することがある。
【００４７】
図５（ａ）及び（ｂ）に示すように、ゴルフ打席装置１００は、球収集部１６０を更に備える。球収集部１６０は、通常ショットによる打球を収集する。球収集部１６０は、斜面部材１６１と連絡部材１６２とを含む。
【００４８】
斜面部材１６１は、バンカー部１０を介して打席部２０に対向する矩形状の板部材である。斜面部材１６１は、例えば、衝撃と音とを吸収するウレタン板である。水平方向に対する斜面部材１６１の傾斜角度は、例えば、２０度である。傾斜角度は、ゴルフ打席装置１００を設置する部屋のショット方向に沿った奥行きの大きさに応じて変更してもよい。例えば、部屋の奥行きを大きくするにつれて、傾斜角度を小さくすればよい。斜面部材１６１は、溝１６１Ａを有する。溝１６１Ａは、斜面部材１６１の下端に沿って形成される。
【００４９】
連絡部材１６２は、溝１６１Ａとバンカー部１０とを連絡する。連絡部材１６２は、例えば、側壁部４０に沿って延びる断面Ｕ字形状の樹脂性樋である。通常ショットによる打球は、斜面部材１６１に当たり、斜面部材１６１を滑り落ちることによって溝１６１Ａに入る。溝１６１Ａに入ったゴルフボールＢは、連絡部材１６２に向かって溝１６１Ａを転がる。連絡部材１６２に到達したゴルフボールＢは、バンカー部１０に向かって連絡部材１６２を転がり、バンカー部１０に到達する。連絡部材１６２は、バンカー部１０に到達するゴルフボールＢを一定の範囲に滞留させるトレイを更に含んでいてもよい。より短時間でゴルフボールＢをバンカー部１０に到達させるように、斜面部材１６１と溝１６１Ａと連絡部材１６２とを適度に傾斜させてもよい。例えば、連絡部材１６２に向けて斜面部材１６１と溝１６１Ａとを更に傾斜させてもよい。
【００５０】
防球ネット７０は、例えば、斜面部材１６１の上端に沿って側壁部４０を覆うように設置される。通常ショットによる打球は、防球ネット７０に当たれば制止される。制止されたゴルフボールＢは、下方の斜面部材１６１上に落ちる。
【００５１】
拡張打席部９０は、格納部９１を含まなくてもよい。拡張打席部９０は、基端部材９２Ｄに替えて基端部材９２Ｅを含む。基端部材９２Ｅは、芝状部材９２の基端を斜面部材１６１に回動自在に取り付ける。基端部材９２Ｅは、例えば、蝶番である。基端部材９２Ｅは、溝１６１Ａよりも低い位置で斜面部材１６１の下端に沿って斜面部材１６１に取り付けられる。芝状部材９２は、バンカー部１０に向けて回動することによって、芝部材９２Ａを上面として砂面１３を凹凸形状に沿うように覆う。把持部材９２Ｃは、第２緩衝部材３２の上面３２Ａに掛止されてもよい。通常ショットによる打球は、防球ネット７０又は斜面部材１６１に当たり、斜面部材１６１を転がり落ちることによって溝１６１Ａに到達する。溝１６１Ａに到達したゴルフボールＢは、連絡部材１６２に向かって溝１６１Ａを転がる。連絡部材１６２に到達したゴルフボールＢは、バンカー部１０に向かって連絡部材１６２を転がり、バンカー部１０に到達する。
【００５２】
一方、図５（ｃ）に示すように、芝状部材９２は、斜面部材１６１に向けて回動することによって、衝撃吸収部材９２Ｂを上面として斜面部材１６１を覆う。把持部材９２Ｃは、斜面部材１６１の上部に掛止されてもよい。衝撃吸収部材９２Ｂの表面は、砂１１及びゴルフボールＢを転がり落としやすくするような摩擦の小さい面であることが好ましい。バンカーショットによって飛び散る砂１１は、衝撃吸収部材９２Ｂに当たり、衝撃吸収部材９２Ｂを滑り落ちることによって、下方のバンカー部１０に戻る。バンカーショットによる打球は、防球ネット７０又は衝撃吸収部材９２Ｂに当たり、衝撃吸収部材９２Ｂを転がり落ちることによって、下方のバンカー部１０に戻る。溝１６１Ａが衝撃吸収部材９２Ｂで覆われるため、バンカーショットによって飛び散る砂１１が溝１６１Ａに流れ込むことを抑制できる。
【００５３】
以上、図５を参照して説明したように、本実施形態によれば、ゴルフ打席装置１００は、球収集部１６０を更に備える。基端部材９２Ｅは、芝状部材９２の基端を斜面部材１６１に回動自在に取り付ける。その結果、一つの区画内で実戦的なゴルフ環境を簡易な構成で提供すると共に、砂１１及びゴルフボールＢの回収の手間を軽減できる。
【００５４】
（実施形態４）
次に、図６を参照して、本発明の実施形態４に係るゴルフ打席装置１００の構成を説明する。図６（ａ）は、ゴルフ打席装置１００を示す一部拡大側面図である。図６（ｂ）は、ゴルフ打席装置１００の傾斜形成部１１０を示す平面図である。図６（ｃ）は、ゴルフ打席装置１００を示す一部拡大側面図である。実施形態４のゴルフ打席装置１００は、図１〜図５を参照して説明した実施形態１〜３の構成に加えて、傾斜形成部１１０を更に備える。なお、図の記載が煩雑になることを避けるため、実施形態１〜３と同様の構成については図の記載を省略することがある。
【００５５】
図６（ａ）及び（ｂ）に示すように、ゴルフ打席装置１００は、傾斜形成部１１０を更に備える。傾斜形成部１１０は、第２緩衝部材３２を傾斜させる。傾斜形成部１１０は、膨張部材と空気供給部材（図示せず）とを含み、補助支持部材（図示せず）を更に含んでいてもよい。
【００５６】
膨張部材は、例えば、空気を充填自在な８個のゴムチューブ（第１ゴムチューブ１１１〜第８ゴムチューブ１１８）である。ゴムチューブは、例えば、閉じられた中空の略円柱形状であり、トラックのタイヤに内蔵されるタイヤチューブであってもよい。ゴムの厚さは、例えば、２ｍｍである。第１ゴムチューブ１１１〜第８ゴムチューブ１１８は、空気を抜き入れ自在な空気弁（図示せず）を有する。第１ゴムチューブ１１１〜第４ゴムチューブ１１４は、例えば、床部５０と第２緩衝部材３２との間に第２緩衝部材３２の各辺に沿って略ロ字状に配置され、第２緩衝部材３２を支持する。第５ゴムチューブ１１５〜第８ゴムチューブ１１８は、例えば、床部５０と第１緩衝部材３１との間に第１緩衝部材３１の各辺に沿って略ロ字状に配置され、第１緩衝部材３１を支持する。第１ゴムチューブ１１１〜第８ゴムチューブ１１８は、空気を供給されることによって膨張し、空気を抜くことによって収縮する。例えば、図６（ｃ）に示すように、第４ゴムチューブ１１４に空気を多めに供給し、第２ゴムチューブ１１２に空気を少なめに供給した場合、第２緩衝部材３２の上面３２Ａをバンカー部１０側を高くするように傾斜させることができる。
【００５７】
空気供給部材は、第１ゴムチューブ１１１〜第８ゴムチューブ１１８に空気を供給する。空気供給部材は、例えば、エアガンを有するエアーコンプレッサーである。ユーザーＰは、第１ゴムチューブ１１１〜第８ゴムチューブ１１８毎にエアガンを空気弁に差し込み、圧縮空気を供給する。
【００５８】
補助支持部材は、第１緩衝部材３１及び第２緩衝部材３２を支持する。補助支持部材は、例えば、木製の角材である。ユーザーＰは、例えば、第１ゴムチューブ１１１〜第４ゴムチューブ１１４のいずれかを膨張させた後に、第１ゴムチューブ１１１〜第４ゴムチューブ１１４の側方のスペース（例えば、幅１５ｃｍのスペース）に補助支持部材をかませればよい。補助支持部材が第１ゴムチューブ１１１〜第８ゴムチューブ１１８による支持を第１ゴムチューブ１１１〜第８ゴムチューブ１１８の側方で補助することによって、砂面１３及び第２緩衝部材３２の上面３２Ａの傾斜状態をより安定させることができる。
【００５９】
以上、図６を参照して説明したように、本実施形態によれば、ゴルフ打席装置１００は、第１ゴムチューブ１１１〜第８ゴムチューブ１１８（膨張部材）を更に備える。膨張部材を膨張させることによって、第２緩衝部材３２は、部分的に押し上げられる。また、膨張部材を収縮させることによって、第２緩衝部材３２は、部分的に下がる。従って、第２緩衝部材３２の上面３２Ａの傾斜角度及び傾斜方向をユーザーＰの嗜好に応じて変更できる。その結果、１つの区画内で更なる実戦的なゴルフ環境（例えば、傾斜したフェアウェイのリアルな擬似環境）を実現できる。
【００６０】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００６１】
（１）図６（ｃ）に示す傾斜形成部１１０は、第２緩衝部材３２を傾斜させていたが、本発明はこれに限られない。傾斜形成部１１０は、第１緩衝部材３１又は第２緩衝部材３２のいずれかを傾斜させさえすればよい。例えば、傾斜形成部１１０は、第１緩衝部材３１を傾斜させることによって砂面１３を傾斜させることもできる。従って、一つの区画内で更なる実戦的なゴルフ環境（例えば、傾斜したバンカーのリアルな擬似環境）を提供できる。
【産業上の利用可能性】
【００６２】
本発明は、ゴルフ打席装置の分野に利用可能である。
【符号の説明】
【００６３】
１０      バンカー部
１００    ゴルフ打席装置
１１      砂
１１０    傾斜形成部
１１１〜１１８    第１ゴムチューブ〜第８ゴムチューブ（膨張部材）
２０      打席部
３０      砂飛散抑制部
３１      第１緩衝部材
３１Ａ    上面
３２      第２緩衝部材
３２Ａ    上面
３３      障壁部材
４０      側壁部
５０      床部
８０      天壁部
９０      拡張打席部
９１      格納部
９２      芝状部材
９２Ａ    芝部材（芝状面）
９２Ｂ    衝撃吸収部材
Ｂ        ゴルフボール
Ｈ２      厚み
Ｈ３      厚み
Ｈ４      高さ
Ｈ５      高さ
【図１】
2018183508.tif 000003
【図２】
2018183508.tif 000004
【図３】
2018183508.tif 000005
【図４】
2018183508.tif 000006
【図５】
2018183508.tif 000007
【図６】
2018183508.tif 000008